(57)【要約】  調理器具ハンドルにインサートの一部分に、オーバーモールド形成された可塑性の把持部分が含まれる。フランジのボアにインサートが挿入される。把持部分の外端がフランジの境界面と同一面内となり、インサートが内側で把持部分をフランジに連結する。これにより把持部分をインサートの一部分にオーバーモールド形成して、フランジの外表面の仕上げ加工の後にその他部分をフランジに溶接するか、あるいはフランジに取り付けることができる。インサートとフランジは、ボアの内部でフランジに接するインサートの一部分に沿って互いに溶接することが可能であって、この部分はフランジが調理容器の側壁に取り付けられると視認されず、調理容器のハンドルとして成形されるグリップを提供することができる。【選択図】図１Ｂ
2019506221.tif 000002
【特許請求の範囲】
【請求項１】
（ａ）内面と外面を有し、前記内面が調理容器の湾曲した外壁に接するように構成され、前記外面から前記内面に向かってボアが広がり、間に前記ボアが少なくとも１つの第１空洞を形成している金属フランジと、
（ｂ）近位端部と遠位端部とを有するインサートであって、前記近位端部は前記ボアの前記第１空洞に受け入れられるように構成され、前記近位端部が前記ボアの内部で前記金属フランジに取り付けられると、前記近位端部が固定される、インサートと、
（ｃ）近位端部と遠位端部とを有し、前記インサートの遠位端部の少なくとも一部分にオーバーモールド形成されたポリマー材料を含む把持部であって、前記把持部は近位端部に外面輪郭を有し、前記インサートの近位端部が前記第１空洞に固定されると、前記外面輪郭が前記金属フランジの隣接部分と同一面内になるように構成されている把持部と、
を備えたことを特徴とする調理器具用ハンドル組立体。
【請求項２】
前記インサートの近位端部には、前記ボアの断面寸法と相補的な断面寸法を有する金属タブ部分が設けられ、前記金属タブ部分が内部に受け入れられると、対応する前記ボアの相補的な断面寸法に沿って前記金属タブ部分がボアに嵌合し、前記近位端部が溶接により、前記金属タブ部分と前記ボアの嵌合境界面に沿って固定されることを特徴とする請求項１に記載の調理器具用ハンドル組立体。
【請求項３】
前記ボアに前記第１空洞から前記金属フランジの内面に向かって近位方向に広がる通路が形成され、前記通路は前記第１空洞の断面寸法よりも小さな断面寸法を少なくとも１つ有し、前記ボアの相補的な断面寸法が前記通路に沿って設けられていることを特徴とする請求項２に記載の調理器具用ハンドル組立体。
【請求項４】
前記ボアが前記金属フランジの外面から内面に向かって広がり、前記第１空洞が前記外面に隣接し、前記ボアが前記内面に隣接する第２空洞を形成していることを特徴とする請求項１に記載の調理器具用ハンドル組立体。
【請求項５】
前記インサートの近位端部には、前記第２空洞の中に少なくとも部分的に延在する金属タブ部分が設けられ、前記金属タブ部分は、前記第２空洞を形成している前記ボアの一部分に、溶接により固定されていることを特徴とする請求項４に記載の調理器具用ハンドル組立体。
【請求項６】
前記ボアが前記第１空洞と第２空洞との間に広がる通路を形成し、
前記通路は前記第１空洞の断面寸法よりも小さな断面寸法を少なくとも１つ有し、
前記インサートの近位端部が前記第１空洞の内部に固定されたとき、前記インサートの近位端部の長手部分が前記通路の長手部分の少なくとも一部を充填するように構成されていることを特徴とする請求項１に記載の調理器具用ハンドル組立体。
【請求項７】
前記ボアに前記第１空洞から前記金属フランジの内面に向かって近位方向に広がる通路が形成され、前記通路は前記第１空洞の断面寸法よりも小さな断面寸法を少なくとも１つ有し、前記インサートの近位端部の長手部分と前記通路の長手部分は、前記インサートの近位端部が前記第１空洞の内部に固定されたときに、前記インサートの近位端部の長手部分が前記通路の長手部分を充填するような、相補的な断面を有していることを特徴とする請求項１に記載の調理器具用ハンドル組立体。
【請求項８】
前記インサートの近位端部が前記第１空洞の内部に固定されると、前記第１空洞の内部における前記インサートの近位端部の長手部分が、前記第１空洞を形成している前記金属フランジの周囲部分から相隔てていることを特徴とする請求項１に記載の調理器具用ハンドル組立体。
【請求項９】
前記ボアに前記第１空洞から前記金属フランジの内面に向かって近位方向に広がる通路が形成され、前記通路は前記第１空洞の断面寸法よりも小さな断面寸法を少なくとも１つ有し、前記インサートの近位端部には、
（ａ）前記通路の断面寸法に相補的な断面寸法を少なくとも１つ有する金属タブ部分と、
（ｂ）前記金属タブ部分の遠位側に設けられ、遠位方向に先細りの断面を有する幅広くさび部であって、前記インサートの近位端部が前記第１空洞の内部に固定されると、対応する前記ボアの長手部分に沿って、遠位方向に先細りの前記第１空洞の断面と断面が相補的になるように構成されている幅広くさび部と、
（ｃ）前記幅広くさび部の遠位側に設けられ、遠位方向に先細りの断面に沿って、対応する幅広くさび部の断面寸法よりも小さな断面寸法を有する遠位部分であって、前記インサートの近位端部が内部に固定されると、前記第１空洞を形成している前記ボアの周囲部分から前記遠位部分が相隔てている遠位部分と、
が備えられていることを特徴とする請求項１に記載の調理器具用ハンドル組立体。
【請求項１０】
前記インサートの遠位端部の基端寄り部分に、前記インサートの近位端部の遠位寄り部分を受け入れるように構成された空洞が形成されていることを特徴とする請求項１に記載の調理器具用ハンドル組立体。
【請求項１１】
前記金属フランジの外面には、前記インサートの遠位端部の基端寄り部分に沿って設けられる嵌合構造体と嵌合するように構成された嵌合構造体が備えられ、
前記インサートの近位端部が前記第１空洞の中に固定されると、前記インサートの近位端部が、前記金属フランジと前記インサートの遠位端部との間に押し込まれることを特徴とする請求項１０に記載の調理器具用ハンドル組立体。
【請求項１２】
前記インサートの遠位端部の基端寄り部分に沿って設けられる嵌合構造体が、前記把持部に近接していることを特徴とする請求項１１に記載の調理器具用ハンドル組立体。
【請求項１３】
前記嵌合構造体には、前記インサートの遠位端部を前記金属フランジの遠位面にねじ込むためのスレッドが備えられていることを特徴とする請求項１１に記載の調理器具用ハンドル組立体。
【請求項１４】
前記インサートの遠位端部がその遠位部分に沿って空洞をさらに形成し、前記インサートの遠位端部の前記遠位部分に沿って設けられる嵌合構造体に嵌合することで、前記空洞を密閉するように構成された嵌合構造体、を有するキャップ密閉部がさらに備えられていることを特徴とする請求項１０に記載の調理器具用ハンドル組立体。
【請求項１５】
（ａ）底壁と、上向きに延在してリムを形成する周囲側壁とを有し、前記底壁と前記周囲側壁との間に流体を受け入れて保持するための内部空間を形成している容器と、
（ｂ）前記金属フランジにて前記周囲側壁の外側部分に取り付けられた請求項１に記載のハンドルと、
が備えられていることを特徴とする調理容器。
【請求項１６】
（ａ）湾曲した内面と外面を有し、前記湾曲した内面が調理容器の湾曲した外壁に接するように構成され、前記外面から前記内面に向かってボアが広がっている、金属フランジを提供するステップと、
（ｂ）近位端部と遠位端部とを有するインサートであって、前記近位端部は、前記金属フランジの外面から内面に向かって広がる前記ボアの一部分に受け入れられるように構成され、また前記外面で前記近位端部が前記ボアの中に挿入されると、前記遠位端部は前記金属フランジの外面から離れる方向に延在するように構成されている、インサートを提供するステップと、
（ｃ）前記インサートの前記遠位端部にオーバーモールド形成されたポリマー材料を含み、前記近位端部が前記ボアの中に挿入されると、前記金属フランジの前記外面の外周面で同一面内の境界面を形成するように構成された把持部分、を提供するステップと、
（ｄ）前記金属インサートの近位端部を、前記外面で前記金属フランジの前記ボアに挿入することにより前記把持部分を前記金属フランジの外面に密着させるステップと、
（ｅ）前記インサートの近位端部を前記ボアの内部で前記金属フランジに固定するステップと、
（ｆ）前記金属フランジの外面を、調理容器の湾曲した外壁に取り付けて、調理容器用のハンドルとして成形されたグリップを提供するステップと、
が含まれることを特徴とする調理容器の形成プロセス。
【請求項１７】
前記インサートの近位端部を前記ボアの内部で前記金属フランジに固定するステップに、前記インサートの近位端部を前記金属フランジに、前記ボアの隣接部分に沿って溶接するステップが含まれることを特徴とする請求項１６に記載の調理容器の形成プロセス。
【請求項１８】
前記調理容器のハンドルが、細長ハンドルまたはU字状ハンドルの何れかであることを特徴とする請求項１６に記載の調理容器の形成プロセス。
【請求項１９】
前記金属フランジがリベットを受け入れ、前記ボアに対向している両側面に設けられた第１側孔および第２側孔を有していることを特徴とする請求項１６に記載の調理容器の形成プロセス。
【請求項２０】
前記金属フランジの外面を調理容器の湾曲した外壁に取り付けて、調理容器用のハンドルとして形成されたグリップを提供するステップには、
（ａ）前記調理容器の側壁に設けられた第１孔と第２孔の各々と、これに対応して前記金属フランジに設けられた第１側孔と第２側孔に、リベットを挿入するステップであって、各リベットの尾部が各側孔を越えて延在するステップと、
（ｂ）前記各側孔を越えて延在している各リベットの尾部の遠位端部を変形させることにより、前記リベットを固定するステップであって、変形した前記尾部の各遠位端部が、前記金属フランジの第１側孔と第２側孔の各々の外周を越えて広がるステップと、
が含まれていることを特徴とする請求項１９に記載の調理容器の形成プロセス。
【発明の詳細な説明】
【技術分野】
【０００１】
本開示は概して、調理容器および調理蓋などの調理器具用ハンドル、ならびにこれらの製造方法および取り付け方法に関する。
【背景技術】
【０００２】
調理器具の多くにはユーザーに器具を移動・操作させるためのハンドルが設けられている。調理ハンドルは、調理器具に取り付けられる金属フランジを採用することが知られており、プラスチックまたはゴムなどの非金属製の把持部分であって、フランジから延在したユーザーが握るための把持部分が組み合わせられている。把持部分は可視化されないフランジの一部にオーバーモールド成形することができる。このような把持部分は裸の金属ハンドルと比べて肌触りがより快適で且つ温度が低く、ハンドルの重量を削減することに役立つことができる。
【発明の概要】
【０００３】
一態様において、調理器具用ハンドル組立体には、金属フランジと、インサートと、把持部が含まれている。金属フランジには内面と外面が設けられている。内面を調理器具の湾曲した外壁との密着に適応させることができる。外面から内面に向かってボアを広げることが可能であって、これらの間に第１空洞を少なくとも定めることができる。インサートに近位端部と遠位端部を設けることができる。この近位端部をボアの第１空洞の内部に受け入れるように適合させることが可能であって、ボア内部で近位端部がフランジに取り付けられると、内部に固定される。把持部を近位端部と遠位端部の間に延在させてもよく、ポリマー材料が、インサートの遠位端部の少なくとも一部にオーバーモールド成形されて設けられている。把持部は、インサートの近位端部が第１空洞に固定されると、フランジの隣接部分と面一になるように構成された外面輪郭を近位端部に有することができる。
【０００４】
種々の実施形態において、インサートの近位端部は金属タブ部分を備えており、金属タブ部分は、ボアの断面寸法に相補的な断面寸法を有する。金属タブ部分が受け入れられると、ボアの対応する相補的な断面寸法に沿って、金属タブ部分がボアに係合可能となる。金属タブ部分とボアの係合境界面に沿って、溶接を用いて近位端部をフランジに取り付けることができる。一形状において、ボアは第１空洞からフランジの内面に向って近位方向に広がる通路を形成している。この通路は第１空洞の断面寸法よりも小さな断面寸法を少なくとも１つ有することができる。ボアの相補的な断面寸法は、通路に沿って配置させることができる。
【０００５】
実施形態によっては、フランジの外面から内面にかけてボアを広げることができる。第１空洞を外面に隣接させ、ボアは内面に隣接する第２空洞を定めることができる。一形状において、インサートの近位端部には、第２空洞の中に少なくとも部分的に延在する金属タブ部分が設けられている。金属タブ部分は、第２空洞を形成しているボアの一部分に溶接により固定することが可能である。
【０００６】
実施例によっては、ボアは第１空洞と第２空洞との間に広がる通路を形成している。この通路は、第１空洞の断面寸法よりも小さい、少なくとも１つの断面寸法を有することができる。一構成において、インサートの近位端部の長手部分は、インサートの近位端部が第１空洞の内部に固定されたときに、通路の長手部分の少なくとも一部を充填するように構成されている。この構成または別の構成において、インサートの近位端部の長手部分と通路の長手部分は、インサートの近位端部が第１空洞に固定されたときに、インサートの近位端部の長手部分が通路の長手部分を満たすような、相補的な断面積を有している。上記または別の何れかの構成において、インサートの近位端部は、金属タブ部分と、幅広くさび部と、遠位部分とを有している。金属タブ部分は、通路の断面と相補的な少なくとも１つの断面を有することができる。この幅広くさび部を金属タブ部分の遠位側に設けることが可能であって、この幅広くさび部は、インサートの近位端部が第１空洞の内部に固定されたときに、対応するボアの長さに沿って、遠位方向に先細りしている第１空洞の断面積を補完するような、遠位方向に先細りした断面積を有することができる。この遠位部分は幅広くさび部の遠位側に設けることができる。この幅広くさび部に沿って遠位方向に先細りした断面積は、遠位方向に先細りした断面積に沿って、より小さな断面寸法を有することができる。遠位部分は、近位端部が内部に固定されたとき、第１空洞を形成しているボアの周囲部分から相隔てさせることができる。
【０００７】
一実施形態において、インサートの近位端部が第１空洞の内部に固定されたとき、第１空洞の内部の近位端部の長手部分は、第１空洞を形成しているフランジの周囲部分から相隔てさせることができる。
【０００８】
種々の実施形態において、インサートの遠位端部の近位部分の基端寄り部分に、インサートの近位端部の遠位寄り部分を受け入れるのに適した空洞が形成されている。フランジの外面は、インサートの遠位端部の基端寄り部分に沿って設けられた嵌合構造体に嵌合するように構成された嵌合構造体を含むことができる。インサートの近位端部は、インサートの近位端部が第１空洞の内部に固定されたとき、フランジと、インサートの遠位端部との間に押し込むことができる。インサートの遠位端部の基端寄り部分に沿って設けられた嵌合構造体は、把持部に近接させることができる。この嵌合構造体は、インサートの遠位端部をフランジの遠位面にねじ込むためのスレッドを含むことができる。インサートの遠位端部には、遠位部分に沿う空洞がさらに形成可能である。ハンドル組立体にさらに、インサートの遠位端部の遠位部分に沿って設けられた嵌合構造体に嵌合することで空洞を密閉するように構成された嵌合構造体、を有するキャップ密閉部を含むことができる。
【０００９】
別の態様において、調理容器には、底壁と、上向きに延在してリムを形成する周囲側壁とが備えられ、またこの底壁と周囲側壁との間に流体を受け入れて保持するための内部空間が形成される。ハンドル組立体は、フランジにて周囲側壁の外側部分に取り付けることができる。ハンドル組立体は、金属フランジ、インサート、および把持部を含むことができる。金属フランジは内面と外面を含むことができる。この内面は、調理器具の湾曲した外壁に接触するように構成可能である。この外面から内面にかけてボアを広げ、間に少なくとも１つの第１空洞を形成することができる。インサートは近位端部と遠位端部を備えることができる。近位端部は、ボア内部でフランジに取り付けられると、ボアの第１空洞の中に受け入れられて内部に固定されるように構成することができる。把持部を近位端部と遠位端部の間に延在させることが可能で、また把持部はインサートの遠位端部の少なくとも一部分にオーバーモールド成形されたポリマー材料を含むことができる。把持部は、インサートの近位端部が第１空洞の内部に固定されたときに、フランジの隣接部分と同一面内となるように構成された外面輪郭を、近位端部に含むことが可能である。
【００１０】
また別の態様において、調理容器を形成するプロセスとして、
（ａ）湾曲した内面と外面を有し、前記湾曲した内面が調理容器の湾曲した外壁に接するように構成され、前記外面から前記内面に向かってボアが延在している、金属フランジを提供するステップと、
（ｂ）近位端部と遠位端部とを有するインサートであって、前記近位端部は、前記金属フランジの前記外面から前記内面に向かって延在している前記ボアの一部分に受け入れられるように構成され、また前記遠位端部は、前記外面で前記近位端部がボアの中に挿入されると、前記遠位端部が前記金属フランジの前記外面から離れる方向に延在するように構成されている、インサートを提供するステップと、
（ｃ）前記インサートの前記遠位端部にオーバーモールド形成されたポリマー材料を含み、前記近位端部が前記ボアの中に挿入されると、前記金属フランジの前記外面の外周面で同一面内の境界面を形成するように構成された把持部、を提供するステップと、
（ｄ）前記金属インサートの前記近位端部を、前記外面で前記金属フランジの前記ボアに挿入することにより前記把持部分を前記金属フランジの外面に密着させるステップと、
（ｅ）前記インサートの近位端部を前記ボアの内部で前記金属フランジに固定するステップと、
（ｆ）前記金属フランジの前記外面を、調理容器の湾曲した外壁に取り付けて、調理容器用のハンドルとして成形されたグリップを提供するステップと、を含むことができる。
【００１１】
種々の実施形態において、前記インサートの近位端部を前記ボアの内部で前記金属フランジに固定するステップに、前記インサートの近位端部を、前記ボアの隣接部分に沿って、前記金属フランジに溶接するステップを含むことができる。一実施形態において、前記調理容器のハンドルは、細長ハンドルまたはＵ字状ハンドルの何れかである。別の実施形態において、前記金属フランジはリベットを受け入れ、前記ボアの対向側面に設けられた第１側孔および第２側孔を有している。
前記金属フランジの前記外面を調理容器の湾曲した外壁に取り付けて、調理容器用のハンドルとして形成されたグリップを提供するステップには、
（ａ）前記調理容器の側壁に設けられた第１孔と第２孔の各々と、これに対応し前記金属フランジに設けられた第１側孔と第２側孔にリベットを挿入するステップであって、各リベットの尾部が各側孔を越えて延在するステップと、
（ｂ）前記各側孔を越えて延在している各リベットの尾部の遠位端部を変形させることにより、前記リベットを固定するステップであって、変形した前記尾部の各遠位端部が、前記金属フランジの第１側孔と第２側孔の各々の外周を越えて広がるステップと、
を含むことができる。
【００１２】
本発明の上記およびその他の目的、効果、特徴、および利点は、以下の実施形態の説明に添付の図面と併せることにより、より明らかになるであろう。
【００１３】
本発明の新規な特徴は、添付の特許請求の範囲に詳細に記載されている。しかしながら、本明細書に記載された本発明の様々な実施形態は、構成および動作の仕方の両方に関して、添付の図面と併せて以下の説明を参照することによって最もよく理解されよう。
【図面の簡単な説明】
【００１４】
【図１】図１Ａは調理器具用ハンドルの上面図であり、図１Ｂは調理容器の一部を表した外観立面図である。
【図２】図２Ａは図１Ａの切断線２Ａ−２Ａに沿って示される横断立面図であって、図２Ｂは図２Ａの切断線２Ｂ−２Ｂに沿って示される断面図である。
【図３】図３Ａと図３Ｂは、ハンドルと調理容器に係る実施形態の、平断面図と側面横断立面図をそれぞれ示す。
【図４】図４Ａと図４Ｂは、ハンドルと調理容器に係る実施形態の、平断面図と側面横断立面図をそれぞれ示す。
【図５】図５Ａはハンドルと調理容器の別の実施形態を製造するために使用される各部品の平断面図であって、これは図５Ｂと図５Ｃに、平断面図および側面横断立面図として表されている。
【図６】図６Ａ〜図６Ｅは、種々の実施形態に係るハンドルの形成および、調理器具への取り付け方法を示す平断面図である。
【図７】図７Ａはハンドルの別実施形態に係る平面図であって、図７Ｂと図７Ｃは、（図６Ｃの）切断線６Ｂ−６Ｂおよび切断線６Ｃ−６Ｃ（図９Ａ）に沿って示される、異なる横断立面図である。
【図８】図８Ａは、図７Ａ〜図７Ｃに係るフランジおよびグリップ部品の取り付け前の斜視図であって、また図８Ｂは取り付け後の斜視図である。
【図９】図９Ａは、図７Ａおよび図８Ａの実施形態に係る側面立面図である。図９Ｂは、図７Ａの切断線９Ｂ−９Ｂに沿って示された横断立面図である。図９Ｃは、図９Ａの切断線９Ｃ−９Ｃに沿って示された横断立面図である。
【発明を実施するための形態】
【００１５】
フランジの目に見えない部分に把持部分をオーバーモールド成形することで調理器具のハンドルを作成する現代の技術は、簡単な形状を有し、概して平坦な把持部分を有する単純な鍛造金属フランジにのみ有効的であった。現代技術から課されている単純な形状への制限により、グリップが快適性に欠けたものとなり、またユーザーが人間工学およびスタイルから調理器具を区別する美的潜在性が欠如する場合が多い。さらに、単純な構造は、調理器具の価値が全体的に低いという認識につながる虞もある。ハンドルはフランジと共に共鋳造または成形できるが、特に金属フランジが鋳造工程から除かれ、研磨された後でオーバーモールド成形することは困難である。鋳造後の成形により研磨面を傷つけてしまう虞もあり、研磨剤が成形プラスチックの縁に埋め込まれてしまうと、成形後の研磨は困難となる。成形プラスチックが損傷してしまう虞もある。調理器具用ハンドルを製造するための鋳造・研磨金属フランジは、様々な用途ならびに美的の目的を創出するために数多くの形状に作成することができるため、現代技術を拡張させてこれらの目標を前進させることは有益であろう。本明細書に記載される種々の実施形態によれば、調理器具用の複合調理ハンドル組立体に、研磨金属フランジと、フランジの外周面と同一面内に延在する把持部分とを設けることで、ハンドル全体に三次元的な鋳造の外観を提供することができる。
【００１６】
本発明の複合調理器具ハンドル組立体、構成要素、および方法の様々な実施形態は、図１Ａ〜図９Ｃを参照して本明細書で説明され、同様の参照番号は、種々の図面において同様の構成要素を示す。
【００１７】
図１Ａおよび図１Ｂは調理器具２００に取り付けられた細長ハンドル組立体１００を図示している。ハンドル１００には、近位端部１００ａに沿って設けられ、調理器具２００への取り付けに適合したフランジ１１０が備えられている（図１Ｂ）。このフランジには通常、調理器具２００の外壁２１０に接して取り付けるのに適合する内面１１０ａが含まれていてもよい。例えば、内面１１０ａは、外壁２１０に対して相補性のある一以上の寸法を有することが可能で、例えば、各寸法は、接合すると各寸法が近似するように構成可能であって、これによりこれら相補的な寸法に沿って外壁２１０と同一面内になるように構成されている。図示の実施形態では、内面１１０ａは、調理器具２００の湾曲した外壁２０に対応して接するための湾曲した外形寸法を有している。
【００１８】
ハンドル１００にはさらにハンドル１００の遠位端部１００ｂに沿って配置される把持部１３０が設けられている。把持部１３０には、フランジ１１０と隣接し、遠位端部１３０ｂまで延在する近位端部１３０ａが備えられている。外面輪郭１３０ｃがフランジ１１０の隣接部分１１０ｃと同一面内になるように寸法決めされ、フランジの外面１１０ｂは、把持部１３０の近位面１３０ｄにより定められる。上記の通り、フランジ１１０は研磨金属フランジ１１０を含むことができる。例えば、隣接部分１１０ｃまたは他の可視部分に研磨金属を備えることができる。
【００１９】
図２Ａおよび図２Ｂに図示された断面図をさらに参照すると、ハンドル１００にフランジ１１０と把持部１３０の間に配置されたインサート１２０を設けることができる。インサート１２０はフランジ１１０により受け入れられて、固定されるように構成されており、内部でインサートが固定されて取付けられるため、把持部１３０はフランジに固定される。インサート１２０には、フランジ１１０の内部に挿入されるように構成された近位端部１２０ａと、外表面１２０ｃに沿って把持部１３０に受け入れられるように構成された遠位端部１２０ｂと、が設けられている。例えば、近位端部１２０ａは、フランジ１１０により受け入れられるように構成された一以上の断面寸法を有することができる。遠位端部１２０ｂは、把持部１３０を下地にして構成された一以上の断面寸法を有することができる。図示の実施形態において、例えば、近位端部１２０ａはほぼ一貫した高さ寸法（図２Ａ）とほぼ一貫した幅寸法（図２Ｂ）を有している。遠位端部１２０ｂには、先細りの高さ寸法（図２Ａ）と先太りの幅寸法（図２Ｂ）を有する舌部１２１が設けられている。遠位端部１２０ｂに沿って別の寸法を採用することもできる。例えば、遠位端部１２０ｂに沿う舌部１２１などの幅寸法は、近位端部１２０ａに沿う幅寸法よりも大きな、または小さな寸法とすることができる。遠位端部１２０ｂに沿う高さ寸法は、近位端部１２０ａに沿う幅寸法よりも大きな、または小さな寸法とすることができる。一実施形態において、把持部１３０に舌部１２１は含まれない。（図３Ａおよび図３Ｂを参照）。実施形態によっては、インサート１２０の遠位端部１２０ｂに沿う高さ寸法を、近位端部１２０ａに沿う高さ寸法と同様にすることができる。例えば、近位端部と遠位端部１２０ａ，１２０ｂに沿う高さ寸法を、インサート１２０の略平面状の上側面および略平面状の下側面により形成することができる（図３Ａおよび図３Ｂ等を参照のこと）。
【００２０】
フランジ１１０とインサート１２０は好ましくは剛体材料から構成され、好ましくは合金などを含む金属から構成される。実施形態によっては、フランジ１１０またはインサート１２０に金属部分、金属表面、または金属めっきが含まれてもよい。上述の通り、フランジ１１０に研磨金属面が含まれてもよい。フランジ１１０またはインサート１２０は、中実な金属構造を含んでもよく、また中空であってもよい。例えば、インサート１２０は中実としてもよいし、図５Ａ〜図５Ｃに図示の通り、中空ハンドル用のパイプなど、空洞を含むこともできる。種々の実施形態において、フランジ１１０を一部中空としてインサート１２０を受け入れることが可能であり、全体的な熱容量と重量を小さくするため、また熱消散を改善するための他の中空部分を有することができる。例えば、フランジ１１０に、インサート１２０を受け入れることのできるボア１１５を形成することができる。このボア１１５は、通常は外面１１０ｂと内面１１０ａの間に広げることが可能で、第１空洞１１１を少なくとも有することができる。
【００２１】
図２Ａおよび図２Ｂを引き続き参照すると、フランジ１１０の外面１１０ｂから内面１１０ａにかけてボア１１５が広がっている。内面１１０ａから内側に広がるボア１１５を形成しているフランジ１１０の一部は、第２空洞１１２を形成している。第１空洞１１１は外面１１０ｂに隣接し、第２空洞１１２は内面１１０ａに隣接している。ボア１１５にはさらに第１空洞１１１と第２空洞１１２を連通する通路１１３が含まれている。通路１１３は空洞１１１，１１２と比較して幅狭であって、連結する空洞１１１，１１２の断面寸法よりも小さな断面寸法を有する。インサート１２０の近位端部１２０ａは、狭くなった通路１１３の断面寸法に延長または貫通することに適合する一以上の寸法を有することができる。インサート１２０がボア１１５の中に受け入れられると、インサート１２０の近位端部１２０ａが通路１１３の内部を貫通し、第２空洞１１２の中まで延在する。このため、インサート１２０の近位端部１２０ａの一部、例えば近位面１２０ｄは、第２空洞１１２の中に少なくとも部分的に延在することができる。しかし、これ以外の実施形態では、インサート１２０の近位端部１２０ａが第２空洞１１２または通路１１３に延びている必要はない。一実施例において、インサート１２０の近位端部１２０ａは通路１１３の中に延びているが、第２空洞１１２の中までは延びていない。
【００２２】
インサート１２０は、フランジ１１０の中に受け入れられる断面寸法が、把持部分１３０への熱輸送を抑えるために接地面積が最小限となるように形成可能である。同様に、フランジ１１０は、フランジ１１０とインサート１２０の接地面積が小さくなるように、インサート１２０を受け入れるように形成等がされた断面寸法を有するボア１１５を形成することができる。例えば、インサート１２０は、フランジ１１０の一部、またはフランジ１１０により形成されたボア１１５のみと接触させることができる。図２Ａおよび図２Ｂに図示された実施形態では、インサート１２０の近位端部１２０ａは中央通路１１３を充填するように寸法決めされた断面を有する。
【００２３】
種々の実施形態において、一以上の空洞１１１，１１２は、インサート１２０がボア１１５内部に受け入れられたとき、インサート１２０とボア１１５を形成する側壁との間に空間が提供されるように構成された断面寸法を有することができる。例えば、一以上の空洞１１１，１１２の大きさが、インサート１２０の対応長さに沿う高さ寸法または幅寸法よりも大きな高さ寸法または幅寸法を有することにより、ボア１１５内部のインサート１２０とフランジ１１０の間に、一以上の連続スペースまたは不連続スペース（側部、上部、または下部のポケット）を提供することができる。図示された実施形態では、例えば、インサート１２０の近位端部１２０ａは、ボア１１５の第１空洞１１１を第２空洞から隔てているボア１１５の幅狭中央通路１１３にのみ接触させることが可能である。実施形態によっては、一度フランジ１１０に固定されると、インサート１２０の近位端部１２０ａは、溶接、リベット、ネジ、バヨネット、戻り止めなどの取り付け部材のみを介してフランジ１１０と接することができる。一実施形態において、インサート１２０の近位端部１２０ａは、取り付け部材を介して、通路１１３に沿って直接的にフランジ１１０に接する。
【００２４】
把持部１３０は、遠位端部１２０ｂに沿って、インサート１２０の外面１２０ｃの少なくとも一部を覆ってオーバーモールド成形することができる。把持部１３０はしたがってポリマー材料などの成形材料を含むことができる。ポリマー材料は樹脂材料から成形することができ、プラスチック、熱硬化ポリマー、エラストマーまたは他のポリマー材料を含む。種々の実施形態において、把持部１３０には高温安定フェノール樹脂が含まれる。把持部１３０には、近位端部１３０ａ、例えば近位面１３０ｄに沿う外面輪郭１３０ｃが含まれ、インサート１１０の近位端部１１０ａが第１空洞１１１の内部に受け入れられてボア１１５の内部に固定されたとき、外面輪郭１３０ｃがフランジ１１０の隣接部分１１０ｃと同一面内になるように構成されている。
【００２５】
インサート１２０をフランジ１１０に取り付けることにより、近位端部１２０ａを第１空洞１１１の内部に固定することができる。近位端部１２０ａと、ボア１１５を形成しているフランジ１１０の隣接部分との溶接により、インサート１２０をフランジ１１０に取り付けることが可能であって、ボア１１５を形成しているフランジ１１０の隣接部分とは、第１空洞１１１，第２空洞１１２，または通路１１３を形成しているフランジ１１０の一部分などである。溶接は金属面同士の金属溶接とすることができる。他の接続手法を使用することもできる。例えば、リベット、ネジ、バヨネット、戻り止め、または突起付き留めマウントを介してインサート１２０をフランジ１１０に取り付けることができる。図２Ａおよび図２Ｂに図示された実施形態において、インサート１２０の近位端部１２０ａに、通路１１３の断面寸法と相補的に対応する断面寸法を少なくとも１つ有するタブ部分１２４が設けられていることで、対応する断面寸法の境界部分に沿って、タブ部分を通路１１３に密着または係合させることができる。具体的には、タブ部分１２４は、内部に挿入されたときに通路を充填するために、通路の断面形状と相補的な断面形状を有している。インサート１２０は、ボア１１５および通路１１３の、タブ部分１２４または近位端部１２０ａの他の部分との境界部分に沿った溶接を用いて溶接を用いてフランジ１１０に固定させることが可能であって、タブ部分１２４または近位端部１２０ａの他の部分には、タブ部分１２４の周縁または近位面１２０ｄが含まれる。溶接材料を第２空洞１１２に残し、近位面１１０ａより奥に延在させないようにすることができる。しかし、溶接残部がさらに広がることのできる範囲までは、溶接材料を容易に摩耗または削り取ることが可能であり、さらなる仕上げ加工は必要としないが、これは第２空洞１１２が調理器具２００の外壁２１０に隣接可能であって、ハンドル１００が取り付けられると隠すことができるためである。
【００２６】
図２Ａおよび図２Ｂに図示されたインサート１２０の近位端部１２０ａには一以上の任意選択的な切り欠き１２５を有することができる。いくつかの実施例において、切り欠き１２５は、付勢またはばね荷重されたラッチなどのロッド（図示せず）を、ボア１１５の内部に確実に係合させるように構成することができる。このような実施形態のいくつかでは、インサート１２０をボア１１５のなかに挿入して内部にロッドをカウンター付勢させることができる。インサート１２０をさらに挿入、回転、または操作することによりロッドを切り欠き１２５の中に付勢させることができる。切り欠き１２５のなかに位置決めされると、ロッドは第１空洞１１１からインサート１２０の動きを止めることができる。他の実施例では、ロッドをフランジ１１０の側面からボア１１５と切り欠き１２５の中に挿入させることができる。実施例によっては、ロッドは、インサート１２０の近位端部１２０ａ、ボア１１５、またはフランジ１１０を完全に通過して延びることができる。
【００２７】
図３Ａおよび図３Ｂは、フランジ１１０、インサート１２０、および把持部１３０を備えるハンドル１００の別の実施形態を図示している。把持部１３０はインサート１２０の遠位端部１２０ｂの少なくとも一部の周りに広がっており、近位端部１３０ａ、近位面１３０ｄなどに沿って外面輪郭１３０ｃが設けられ、インサート１２０の近位端部１２０ａがボア１１５の内部に受け入れられて第１空洞１１１の内部で固定されたときに、外面輪郭１３０ｃがフランジ１１０の隣接部分１１０ｃと同一面内となるように構成されている。この実施形態において、インサート１２０は、ボア１１５の対応部分の断面寸法と相補的な断面寸法を有する。特に、インサート１２０には、近位方向に狭くなる幅寸法を有し（図３Ａを参照のこと）、長手方向にほぼ一貫した高さ寸法（図３Ｂを参照のこと）を有するくさび状の近位端部１２０ａを有する。インサート１２０の遠位端部１２０ｂは長手方向にほぼ一貫した幅と高さ寸法を持つことができる。遠位端部１２０ｂに沿う幅寸法は、近位端部１２０ａに沿う幅寸法よりも小さくすることができる。遠位端部１２０ｂに沿う高さ寸法は、近位端部１２０ａに沿う高さ寸法と同様なものとすることができる。近位端部と遠位端部１２０ａ，１２０ｂに沿う高さ寸法は、インサート１２０の略平面状の上側面および略平面状の下側面により形成することができる。
【００２８】
図２Ａおよび図２Ｂに図示の実施形態と同様にして、ボア１１５はフランジ１１０の内面１１０ａと外面１１０ｂの間に広がっており、少なくとも１つの空洞１１１が設けられている。ボア１１５の内部に受け入れられると、ボア１１５を貫通するインサート１２０の近位方向の移動を、ボア１１５に対するインサート１２０の近位端部１２０ａの一以上の断面寸法により制限することができる。例えば、ボア１１５は、インサート１２０のくさび状の近位端部１２０ａに対して相補的な高さ・幅寸法を有することが可能で、内部に受け入れられると近位端部１２０ａがボア１１５を充填するようになっている。インサート１２０は、近位端部１２０ａの例えば近位面１２０ｄの外周面に沿った部分と、ボア１１５を形成するフランジ１１０の隣接部分との溶接により、フランジ１１０に取り付けることができる。近位端部１２０ａのフランジに溶接される部分にタブ部分１２４を含むことが可能で、タブ部分１２４は、フランジ１１０がボア１１５の上面、下面、または側面で係合する、一以上の相補的な断面寸法を有している。他の取り付け手法も使用可能である。例えば、リベット、ネジ、バヨネット、または突起付き留めマウントを介してインサート１２０をフランジ１１０に取り付けることができる。
【００２９】
図４Ａおよび図４Ｂは、フランジ１１０、インサート１２０、および把持部１３０を備えるハンドル１００の別の実施形態を図示している。把持部１３０はインサート１２０の遠位端部１２０ｂの少なくとも一部の周りに広がっており、近位端部１３０ａ、例えば近位面１３０ｄなどに沿って外面輪郭１３０ｃが設けられ、インサート１１０の近位端部１１０ａがボア１１５の内部に入り、第１空洞１１１の内部で固定されたときに、外面輪郭１３０ｃがフランジ１１０の隣接部分１１０ｃと同一面内となるように構成されている。この実施形態では、フランジ１１０の内面１１０ａと外面１１０ｂとの間にボア１１５が広がっており、ボア１１５に少なくとも１つの空洞１１１が含まれる。空洞１１１は近位方向に大きくなる幅（図４Ａ）と高さ（図４Ｂ）を有する。ボア１１５には幅狭の通路１１３も含まれており、通路１１３は、空洞１１１とフランジ１１０の内面１１０ａとの間に広がっている。図２Ａ〜図３Ｂに対して説明した実施形態と同様にして、インサート１２０の近位端部１２０ａは、長手方向にほぼ一貫した高さ寸法（図４Ｂ）を有する断面寸法を持っており、本実施形態では、インサート１２０の全長に沿ってほぼ一貫している。インサート１２０の近位端部１２０ａは、ほぼ一貫した幅寸法を有する遠位部分１２２を有する。近位端部１２０ａはまた、遠位部分１２２より近位に、遠位部分１２２よりも大きな幅寸法を有する幅広くさび部１２３を有する（図４Ａを参照）。幅広くさび部１２３の幅寸法はまた、長手に沿って近位方向に大きくなっている（図４Ａを参照のこと）。幅広くさび部１２３の幅寸法は、ボア１１５の長手に沿って対応する幅寸法と、ほぼ相補的なものとすることができる。したがって、図４Ａと図４Ｂには、ボア１１５とインサート１２０が相補的な近位寸法を有するハンドル１００の実施形態が図示されている。インサート１２０の近位端部１２０ａには、遠位部分１２２と幅広くさび部１２３の何れよりも近位に位置し、幅広くさび部１２３よりも小さな幅寸法を有するタブ部分１２４が備えられている。このタブ部分１２４は、インサート１２０の近位端部１２０ａの遠位部分よりも大きな幅寸法を有することができる。他の実施形態では、タブ部分１２４は、遠位部分１２２と比べて同じくらいまたはより小さな幅寸法を有することができる。
【００３０】
図４Ａに最も明確に図示されている通り、フランジ１１０のボア１１５にインサート１２０が受け入れられると、幅広くさび部１２３の側面が、インサート１２０をボア１１５のなかに挟み込み、ボア１１５からインサート１２０が外れ、遠位方向に移動することが防止される。種々の実施形態において、幅広くさび部１２３の側面をボア１１５の中でフランジに接触させることが可能であり、あるいは、幅広くさび部１２３の側面をボア１１５の側面から僅かに離すことにより、インサート１２０が遠位方向に移動すると、幅広くさび部１２３に沿うインサート１２０の側面が、ボア１１５の側面に沿ってフランジ１１０に接するようにすることができる。実施形態によっては、インサート１２０を適当な角度回転させ、先細りとなるボア１１５の幅から幅広くさび部１２３の側面を外すことにより、インサート１２０をボア１１５から遠位方向に取り外すことができる。例えば、ボア１１５は、幅広くさび部１２３の最広幅よりも大きな断面寸法を有することができる。図３Ａおよび図３Ｂで説明した実施形態と同様に、ボア１１５を貫通するインサート１２０の近位方向の移動を、ボア１１５に対する近位端部１２０ａの一以上の断面寸法により制限することができる。図示の実施形態において、幅広くさび部１２３の幅寸法は通路１１３の幅寸法よりも大きくなっており、これにより幅広くさび部１２３が通路１１３の中に入ることが防止され、ひいてはインサート１２０がボア１１５を通って近位方向にさらに平行移動することが防止される。
【００３１】
図４Ａおよび図４Ｂを引き続き参照すると、通路１１３はタブ部分１２４を受け入れるように寸法決めされている。通路１１３の一以上の断面寸法を、対応するタブ部分１２４の寸法と相補的にすることにより、通路１１３の内部に受け入れられたときに、タブ部分の一以上の方向に対する移動を妨げることができる。図示の実施形態において、例えば、通路１１３とタブ部分１２４が相補的な高さ寸法を有することにより、タブ部分１２４が通路１１３の中に受け入れられると、タブ部分１２４の垂直方向の移動が防止されるようになっている。通路１１３とタブ部分１２４はまた、相補的な幅寸法を有することが可能であって、この幅寸法は、タブ部分１２４が通路１１３の中に受け入れられると、横方向の移動を防止する。例えば、通路１１３の長さを充填するようにタブ部分１２４を寸法決めすることができる。しかし、ボア１１５内部のインサート１２０の近位端部１２０ａの横方向の動きは、空洞１１１と幅広くさび部１２３の対応部分に沿う相補的な幅寸法により制限されるので、実施形態によっては、通路１１３とタブ部分１２４に相補的な幅寸法は含まれない。タブ部分１２４の、例えば近位面１２０ｄまたはその周辺に沿う部分と、ボア１１５を形成しているフランジの隣接部分の、例えば通路１１３に沿う部分との溶接部により、インサートがフランジに取り付けられた場合には、利用可能な溶接点の数を増やすため、近位面１２０ｄに沿う幅寸法が、通路１１３の対応する部分の幅寸法を、補完または近似していることが望ましい場合がある。このような実施形態では、タブ部分１２４の側面とフランジ１１０の間の空間を、通路１１３の内部において、近位面１２０ｄより遠位側に提供することができる。上記の通り、他の取り付け手法を使用することもできる。例えば、リベット、ネジ、バヨネット、または突起付き留めマウントを介して、インサート１２０をフランジ１１０に取り付け、これにより近位端部１２０ａを、第１空洞１１１のなかに固定することができる。一実施形態において、取り付け部材は使用されず、上記の通り、インサート１２０の近位端部１２０ａとボア１１５の寸法が適合することにより、インサート１２０の垂直方向、水平方向、近位方向、遠位方向の移動が防止される。
【００３２】
図２Ａおよび図２Ｂに対して上で説明した実施形態と同様にして、ボア１１５、特に図４Ａおよび図４Ｂで図示した実施形態の空洞１１１の内部空間は、インサート１２０の近位端部１２０ａがボア１１５のなかに受け入れられて第１空洞１１１のなかに固定されたとき、インサート１２０とフランジ１１０との間に提供される。特に、インサート１２０の近位端部１２０ａは、遠位部分１２２の側面、上面、下面および幅広くさび部１２３の上面および下面に沿って、空洞１１１の内部にてフランジ１１０から相隔てている。遠位部分１２３の周りの空間は、連続的なものとすることができる。したがって、遠位部分１２２と幅広くさび部１２３の二以上の側面を、フランジ１１０またはボア１１５に接触させなくてもよく、これにより熱伝導の行き来を抑えることができる。
【００３３】
図５Ａ〜図５Ｃは、ハンドルに、近位端部１２０ａと遠位端部１２０ｂを有する２部材のインサート１２０が含まれる、ハンドル１００の別の実施形態を図示している。インサート１２０の近位端部１２０ａが、遠位端部１２０ｂの内部に広がる空洞１２６のなかに受け入れられるように寸法決めされている。把持部１３０は遠位端部１２０ｂの周りに延在しており、把持部１３０には近位端部１３０ａ、近位面１３０ｄなどに沿う外面輪郭１３０ｃが含まれており、外面輪郭１３０ｃは、インサート１１０の近位端部１１０ａがボア１１５の内部に受け入れられ、第１空洞１１１のなかで固定されると、フランジ１１０の隣接部分１１０ｃと同一面内となるように構成されている。上記の実施形態と同様にして、図５Ａ〜５Ｃに図示のフランジ１１０には、ボア１１５が形成されており、ボア１１５は外面１１０ｂから内面１１０ａに向かって広がっており、少なくとも第１空洞１１１が含まれている。ボア１１５にはまた、インサート１２０のタブ部分１２４を、図４Ａおよび図４Ｂに対して説明した手法や構造と同様にして、受け入れるように寸法決めされた、幅狭の通路１１３が含まれている。例えば、タブ部分１２４と通路１１３の相対的な断面寸法、例えば高さまたは幅の寸法は、タブ部分１２４が境界部分に沿って、通路１１３の一以上の断面寸法に嵌合または近似するように構成することができる。その結果、タブ部分１２４が通路１１３の内部に配置されると、通路１１３におけるインサート１２０の近位端部１２０ａの、近位方向、横方向、垂直方向のうち一以上の方向の、移動を防止することができる。一実施例において、タブ部分１２４の断面形状および断面寸法は、対応する通路１１３の断面と相補的になっており、タブ部分１２４が通路１１３を充填できるようになっている。一実施形態において、インサート１２０の近位端部１２０ａは、近位面１２０ｂと通路１１３に沿う境界面、例えば、タブ部分１２４と通路１１３の境界面に沿う部分を溶接することにより、フランジ１１０に取り付けることができる。本明細書の別箇所に記載されているような他の取り付け手法を使用することもできる。
【００３４】
図示のハンドル１００は、インサート１２０の近位端部１２０ａを通路１１３に押し込むことにより、インサート１２０を取り付け、タブ部分１２４を、通路１１３の中の近位端部１２０ａに沿って保持することができる。一実施形態において、通路１１３は内面１１０ａに沿って開口部まで広がり、調理器具２００の外壁２１０により、タブ部分１２４の近位方向の移動が防止される。別の実施形態において、ボア１１５がフランジ１１０の内面１１０ａとタブ部分１２４における開口部まで広がっているか、または開口部を有している必要はなく、このため、ボア１１５のベースによりインサート１２０の近位端部１２０ａが近位方向に移動することを防止することができる。また別の実施形態において、通路１１３には対応するタブ部分１２４の寸法よりも小さな寸法を有する基端寄り部分を含むことが可能であって、タブ部分１２４が基端寄り部分よりも奥に近位方向に移動しないようにすることができる。同様にして、タブ部分１２４は、通路１１３内にはめ込まれ、さらなる近位方向への移動を防止するように構成された、遠位方向に広がる寸法を有することができる。また別の実施形態において、近位端部１２０ａには、タブ部分１２４より遠位方向に位置し、また図４Ａおよび図４Ｂに対して説明された幅広くさび部１２３など、通路１１３の対応寸法よりも大きな寸法を有する部分を含むことが可能であって、これによりこの部分が通路１１３に進入せず、インサート１２０の近位端部１２０ａが近位方向にさらに移動することが防止される。
【００３５】
図５Ａ〜図５Ｃを引き続き参照すると、インサート１１０の遠位端部１２０ｂをフランジに係合して連結させ、これによりインサート１２０をフランジ１１０に少なくとも部分的に取り付けることができる。例えば、インサート１１０の遠位端部１２０ｂは、フランジ１１０に沿って設けられた嵌合構造体１２９ｂに嵌合する近位嵌合構造体１２９ａを有することができる。嵌合構造体の例としては、レール、溝、圧入フィット、スナップフィット、スロット、切り欠き、または他の適切な構造体を含むことができる。図示の実施形態において、嵌合構造体１２９ａ，１２９ｂには、インサート１２０の遠位端部１２０ｂの近位部分１２８と、フランジ１１０の外面１１０ｂとに沿って設けられるスレッドが含まれており、インサート１２０の遠位端部１２０ｂの近位部分１２８には雄型コネクタが設けられ、フランジ１１０の外面１１０ｂには雌型コネクタが設けられている。別の実施形態において、インサート１２０の遠位端部１２０ｂの近位部分１２８に雄型コネクタを設け、フランジ１１０の外面１１０ｂに雌型コネクタを設けることができる。
【００３６】
近位端部１２０ａを遠位端部１２０ｂの中空部分に受け入れることのできる度合いは、中空部分の対応寸法よりも大きな近位端部１２０ａに沿った寸法により制限することができる。例えば、ロッドその他の止め具を中空部分の中に延長させ、近位端部１２０ａに接触させることが可能であって、これにより近位端部１２０ａが空洞１２６の内部で遠位方向にさらに移動することを防止している。図示の実施形態において、近位端部１２０ａには、フランジ１１０と把持部１３０の嵌合と、ボア１１５を貫通する近位端部１２０ａの近位方向の移動の防止に対応して、中空部分の空洞１２６の内部の所定位置にはめ込まれるように構成された遠位方向に広がる寸法を少なくとも１つ有する遠位部分１２２が含まれる。近位端部１２０ａには中空部分も含まれることが理解されよう。
【００３７】
図５Ａ〜図５Ｃに図示のハンドル１００には、任意選択的な、ねじ蓋式閉止体１４０も含まれ、これは任意選択的に電子部材を、取り出しキャップもしくは密閉部１４０、またはアクセス可能な空洞１２６の何れかの中に収容および密閉することが可能である。図示の通り、遠位端部１２０ｂには、密閉部１４０に沿って設けられた嵌合構造体１２９ｂに嵌合するように構成された遠位嵌合構造体１２９ｃが備えられている。嵌合構造体の例としては、レール、溝、圧入フィット、スナップフィット、スロット、切り欠き、または他の適切な構造体を含むことができる。図示の実施形態において、嵌合構造体１２９ａ，１２９ｂにはスレッドが含まれ、インサート１２０の遠位端部１２０ｂに沿って設けられた遠位嵌合構造体１２９ｃには雄型コネクタが設けられ、また密閉部１４０に沿って設けられた嵌合構造体１２９ｄには雌型コネクタが設けられている。別の実施形態において、遠位嵌合構造体１２９ｃに雄型コネクタを設け、密閉部１４０の嵌合構造体１２９ｄに雌型コネクタを設けることができる。
【００３８】
種々の実施形態において、インサート１２０には、インサート１２０の他の部分、例えば中央部分に沿って、嵌合構造体が設けられており、近位端部１２０ａは、フランジ１１０のボア１１５の内部に受け入れ可能であって、嵌合構造体がフランジ１１０に設けられた対応する嵌合構造体に嵌合すると、上述の通り、内部で緊密に圧迫させることができる。図５Ａ〜図５Ｃに説明のハンドル１００は、このような例の１つを表している。ある変形実施例では、図５Ａ〜図５Ｃに図示のインサート１２０の近位端部と遠位端部１２０ａ，１２０ｂに単一の構造ユニットが設けられていても構わない。このような実施例では、近位端部１２０ａと遠位端部１２０ｂの両方もしくは何れか一方に、中空部分が含まれていてもいなくてもよい。別の実施形態において、ハンドル１００は、インサートの近位端部１２０ａ以外は、図５Ａ〜図５Ｃに図示している実施形態と同様のものとすることができる。
【００３９】
図６Ａ〜図６Ｅは、ハンドル１００およびハンドル組立体、ならびにハンドル１００を調理容器２００に取り付ける、種々の実施形態に従う実施形態を図示している。図６Ａは、インサート１２０の近位端部１２０ａがフランジ１１０のボア１１５のなかに受け入れられ（図６Ｃ）、またインサート１２０の遠位端部１２０ｂが把持部１３０でオーバーモールド成形される（図６Ｂ）前の、ハンドル１００のフランジ１１０およびインサート１２０を表している。図６Ａ〜図６Ｅは、図６Ａにおける組立体部品が変形することにより、調理容器２００に取り付けられたハンドル１００が提供される様子を表している。
【００４０】
図６Ａ〜図６Ｅで組み立てられたハンドル１００は、図３Ａおよび図３Ｂに対して説明されているハンドル１００と同様のものとすることができる。一実施形態において、調理容器２００のハンドル１００を組み立てる方法に、フランジ（図６Ａ）を提供するステップを含めることが可能であって、フランジ１１０には、調理容器２００（図６Ｅ等を参照のこと）の湾曲した外壁２１０に接するように構成された第１湾曲状内面１１０ａと、この内面１１０ａに対向する外面１１０ｂとが形成されている。この外面１１０ｂから内面１１０ａにかけてボア１１５を広げることができる。この方法には細長インサート１２０（図６Ａ）を提供するステップをさらに含めることが可能であって、この細長インサート１２０には、近位端部１２０ａが外面１１０ｂで金属フランジ１１０のボア１１５のなかに挿入されると、外面１１０ｂから内面１１０ａに向かって延在する金属フランジ１１０のボア１１５の一部分に受け入れられるように構成された近位端部１２０ａと、近位端部１２０ａに取り付けられているか、あるいはフランジ１１０の遠位端部１１０ｂから離れて延在するように構成された近位端部１２０ａから遠位方向に延びている遠位端部１２０ｂとが備えられている。
【００４１】
図６Ｂに図示の通り、ポリマー把持部１３０をインサート１２０の遠位端部１２０ｂにオーバーモールド成形することが可能であって、ポリマー把持部１３０には、インサート１２０の近位端部１２０ａがボア１１５のなかに挿入されると、フランジ１１０の外面１１０ｂの外周面で同一面内となる境界面を形成するように構成された外面輪郭１３０ｃが近位面１３０ｄに沿って設けられている。図６Ｂに図示されている通り、フランジ１１０は、リベット２１７（図６Ｄ等を参照）などの取り付け具を受け入れる第１および第２の側孔１１７，１１７´を含むことができる。側孔１１７，１１７´は、ボア１１５に対向している両側面に設けることができる。種々の実施形態において、側孔１１７，１１７´はフランジ１１０を貫通して穿孔、打ち抜き、成形、またはその他の方法で形成することができる。
【００４２】
インサート１２０の近位端部１２０ａを、外面１１０ｂで、フランジ１１０のボア１１５に挿入し、把持部１３０をフランジ１１０の外面１１０ｂに密着させることができる。図６Ｄに図示の通り、ボア１１５の内部に受け入れられると、インサート１２０がフランジ１１０に取り付けられることにより、近位端部１２０ａを空洞１１１の内部に固定することができる。例えば、インサート１２０の近位端部１２０ａを、フランジ１１０の近位面１１０ａと遠位面１１０ｂの間に設けられた、フランジ１１０の内部に溶接させることができる。図示の通り、近位面１２０ｄは、タブ部分１２４またはその外周面に沿って、金属面が含まれ、ボア１１５の幅狭の基端寄り部分に沿って、境界となっているかまたは隣接している金属面に、溶接される。インサート１２０はまた、本明細書に記載されている通り、ボア１１５の内部等にあるフランジ１１０に取り付けることができる。
【００４３】
図６Ｄならびに図６Ｅは、ハンドル１００を調理容器２００に取り付けるステップを表している。特に、フランジ１１０の内面１１０ａを調理容器２００の湾曲した外壁２１０に固定することにより、調理容器２００のハンドルとして成形された把持部１３０を提供することができる。より具体的には、調理容器２００の側壁２１０にある孔２０７，２０７´にリベット２１７，２１７´を挿入することが可能であって、孔２０７，２０７´は第１および第２の側孔１１７にそれぞれが対向しており、リベット２１７，２１７´の尾部２１７ａ，２１７ａ´が、各側孔１１７を越えて広がる。実施形態によっては、各リベット２１７，２１７´の尾部２１７ａ，２１７ａ´の遠位端部を変形させて、フランジ１１０内の第１および第２の側孔１１７の各々の外周を越えて広げることができる。
【００４４】
上記のように、種々の形状をした把持部１３０が提供されるようにハンドル１００を構成することができる。例えば、種々の構成において、長手ハンドル、補助ハンドル、蓋ハンドル、または短い側面ハンドルに対して、把持部１３０を、真直ぐもしくは直線状、曲線状、Ｕ字形状、球根状またはＬ字状に形成することができる。これらおよび他の実施形態において、インサート１２０は、把持部１３０の全長または把持部１３０の一部分のみに延在させることができる。実施形態によっては、インサート１２０は把持部１３０よりも短くて構わない（図３Ａ〜図４Ｂ）。実施形態によっては、把持部１３０は、フランジ１１０からインサート１２０よりも遠位側に延長させることができる（図２Ａ〜図４Ｂ等を参照のこと）。他の実施形態では、インサート１２０は、フランジ１１０から把持部１３０より遠位側に延長させることができる（図５Ａ〜図５Ｃ等を参照のこと）。
【００４５】
図７Ａ〜図９Ｃは、種々の実施形態による、Ｕ字状の把持部１３０を有するハンドル１００の種々の図面を表している。特に図７Ａおよび図８Ｂに図示の図面を参照すると、Ｕ字状の把持部１３０には、フランジ１１０の外面１１０ｂ，１１０ｂに沿って設けられるように構成された２つの近位端部１３０ａ，１３０ａ´が備えられている。図８Ａの拡大図を参照すると、把持部１３０の近位端部１３０ａ，１３０ａ´には、インサート１２０，１２０´の近位端部１２０ａ，１２０ａ´が各ボア１１５，１１５´の中に受け入れられて固定されると、フランジ１１０の隣接部分１１０ｃ，１１０ｃ´と同一面内になるように構成された外面輪郭１３０ｃ，１３０ｃ´が含まれている。
【００４６】
図７Ａ〜図９Ｃに表されている、インサート１２０の近位端部１２０ａ，１２０ａ´ならびに、フランジ１１０により形成された各ボア１１５，１１５´は、図２Ａおよび図２Ｂに対して記載されている構造と同様に構成することができる。例えば、図８Ａおよび図８Ｂを引き続き参照し、また図７Ａおよび図７Ｃをさらに参照すると、各ボア１１５，１１５´を、フランジ１１０の外面１１０ｂ，１１０ｂ´と内面１１０ａの間に広げることが可能で、少なくとも第１空洞１１１，１１１´を有することができる。各ボア１１５，１１５´を形成するフランジ１１０の一部分が第２空洞１１２，１１２´を形成可能であって、各ボア１１５，１１５´は、各内面１１０ａ，１１０ａ´から内側に延びている。各ボア１１５，１１５´は、各第１空洞１１１，１１１´と第２空洞１１２，１１２´を繋ぐ幅狭の通路１１３，１１３´をさらに含むことができる。各々の通路１１３，１１３´は、連結する各空洞１１１，１１１´，１１２，１１２´の断面寸法よりも小さな断面寸法を有することができる。インサート１２０の近位端部１２０ａ，１２０ａ´はまた、小さくなった寸法を有する各々の通路１１３，１１３´の中まで延長または貫通するように寸法決めすることができる。インサート１２０の近位端部１２０ａ，１２０ａ´は、本明細書に記載の通り、フランジ１１０に溶接するか、または取り付け具を用いてフランジ１１０に固定することができる。
【００４７】
図示されている実施形態には採用されていないが、インサート１２０の近位端部１２０ａ，１２０ａ´の各々には、一以上の任意選択的な切り欠き１２５，１２５´が含まれている。上記の通り、切り欠き１２５，１２５´は、ボア１１５，１１５´の内部で付勢またはバネ荷重されたラッチなどのロッドに嵌合するように構成することができる。このような実施形態のいくつかにおいて、インサート１２０をボア１１５，１１５´の中に挿入させ、内部にロッドをカウンター付勢させることができる。インサート１２０をその後ボア１１５，１１５´の中にさらに挿入することにより、ロッドを切り欠き１２５，１２５´の中に付勢させることができる。切り欠き１２５，１２５´の中に配置されると、ロッドが第１空洞１１１，１１１´からのインサートの移動を防止する。フランジ１１０の一以上の側面から、ボア１１５，１１５´の中および切り欠き１２５，１２５の中にロッドを挿入させることもできる。実施例によっては、インサート１２０の近位端部１２０ａ，１２０ａ´、ボア１１５，１１５´、またはフランジ１１０まで完全にロッドを延すことができる。
【００４８】
他の実施形態において、本明細書の図３Ａ〜６Ｅなどに説明されているインサート１２０およびフランジ１１０を用いて、Ｕ字状ハンドル１００を構成することができる。
【００４９】
図９Ａならびに図９Ｂおよび図９Ｃの断面図に表されている通り、インサート１２０を把持部１３０の全長に延し、またフランジ１１０の対応するボア１１５，１１５´まで延ばすことで、把持部１３０をフランジ１１０に確実に取り付けることができる。フランジ１１０は、例えばリベット貫通孔１７，１１７´と器具の外壁にある対応孔とを利用し、調理器具の壁に適切に固定されることで、図６Ａ〜図６Ｅに図示されているように、フランジ１１０と把持部１３０が嵌合して同一面内の境界面が提供される調理器具のハンドル１００を提供することができる。
【００５０】
本明細書に開示された、ハンドル組立体を含むハンドルにより、改良されたハンドルおよびこの種のハンドルを含む調理器具を提供することができる。例えば、このハンドルの実施により、鋳造金属フランジを成形樹脂グリップに使用することが可能になる。形成ハンドルの取り付け前に金属仕上げを完成させることにより、露出金属の仕上げを樹脂グリップのオーバーモールド成形後に完成させたときに生じたであろう欠陥や手間を削減することができる。ここに記載のハンドルはまた、仕上げ金属部品が形成ハンドルと互いの外縁で同一面内となる美的な改良点を提供することができる。ハンドルは任意選択的に、同様の形状を有する中実の金属ハンドルと比べてより重量を軽い組立体を有して構成することが可能で、ハンドルの重心が容器の重心に近づくように位置されることによって、容器が傾く可能性をさらに少なくすることができる。容器の側壁の全面と接し、鍋からはみ出る燃焼ガスに晒される鋳造されたオーバーモールド成形金属ハンドルとは対照的に、本発明のハンドル組立体は、フランジとの接触面積を溶接部位あるいは他の取り付け部位に抑えることができるため、把持部分に熱が伝わりにくく、ハンドル組立体をより低い温度に保つことができる。
【００５１】
本発明を好ましい実施形態に関連して説明してきたが、本発明の範囲を記載した特定の形態に限定することを意図するものではなく、むしろ、そのような代替形態、修正形態および均等物を網羅するものであって、添付の特許請求の範囲によって規定される本発明の精神および範囲内とすることができる。例えば、上記の通り、インサートをボアの内部、例えば、第１空洞の内部に固定することが可能であって、また、ボアに沿ってインサートをフランジに溶接するか、あるいはインサートを別な方法でフランジに取り付けることができる。このような実施形態の１つとして、インサートに把持部を取り付けまたは形成する前に、インサートをフランジに目に見えない部分で取り付けることができる。
【００５２】
種々の特徴が、横、上、下、幅、高さなどの用語で記載されているが、そのような用語は便宜のための言葉であり、特に断らない限り限定する用語として解釈されるべきではない。本明細書で使用されるこのような用語は、本明細書に記載されるハンドルまたはその一部が、他の方向で取り付けられまたは利用され得る限り、限定することを意味しない。例えば、いくつかの実施形態では、高さが幅となり、横が上および下になるように形状を回転させることができる。
【図１Ａ】
2019506221.tif 000003
【図１Ｂ】
2019506221.tif 000004
【図２Ａ】
2019506221.tif 000005
【図２Ｂ】
2019506221.tif 000006
【図３Ａ】
2019506221.tif 000007
【図３Ｂ】
2019506221.tif 000008
【図４Ａ】
2019506221.tif 000009
【図４Ｂ】
2019506221.tif 000010
【図５Ａ】
2019506221.tif 000011
【図５Ｂ】
2019506221.tif 000012
【図５Ｃ】
2019506221.tif 000013
【図６Ａ】
2019506221.tif 000014
【図６Ｂ】
2019506221.tif 000015
【図６Ｃ】
2019506221.tif 000016
【図６Ｄ】
2019506221.tif 000017
【図６Ｅ】
2019506221.tif 000018
【図７Ａ】
2019506221.tif 000019
【図７Ｂ】
2019506221.tif 000020
【図７Ｃ】
2019506221.tif 000021
【図８Ａ】
2019506221.tif 000022
【図８Ｂ】
2019506221.tif 000023
【図９Ａ】
2019506221.tif 000024
【図９Ｂ】
2019506221.tif 000025
【図９Ｃ】
2019506221.tif 000026
【国際調査報告】
2019506221.tif 000027
2019506221.tif 000028